(57)【要約】【課題】レーザ光源の発光強度レベルを正確に設定して、情報記録を正確に行うことが可能な光ディスク装置の発光電流調整方法及び光ディスク装置を提供する。【解決手段】記録開始時におけるイレース電流とピーク電流の比を、Ｋ＝ｉＥＲ／ｉＰＫとして定義し（Ｓ１）、ｉＥＲ１１＝Ｋ×ｉＰＫ１として、温度変動によって増加すべきイレース電流の理想値であるｉＥＲ１１を定める（Ｓ２）。温度上昇後における発光強度がイレースレベルであるときの電流から、記録開始時における発光強度がボトムレベルであるときの電流ｉＢＴを引いたものをｉＥＲ１とする。このｉＥＲ１を測定して、ｉＥＲ１からイレース電流の理想値ｉＥＲ１１を引き、この電流をｉＢＴ１１と定める（Ｓ３）。このｉＢＴ１１をボトム電流についての調整値とし、この調整値を記録開始時におけるボトム電流に加えたものを変動後のボトム電流とする。【選択図】図３
2005202995.tif 000002
【特許請求の範囲】
【請求項１】
発光強度が最大であるピークレベルと、発光強度が最小であるボトムレベルと、これらの中間値であるイレースレベルとからなる発光強度パターンでレーザ光を光ディスクに照射して情報の記録再生を行う光ディスク装置の発光電流調整方法において、記録開始後のイレース電流の測定値と理想値とから記録開始後のボトム電流の調整値を定めることを特徴とする光ディスク装置の発光電流調整方法。
【請求項２】
記録開始時でのボトム電流に前記調整値を加えた値を記録開始後のボトム電流とし、前記イレース電流の理想値を記録開始後のイレース電流とすることを特徴とする請求項１記載の光ディスク装置の発光電流調整方法。
【請求項３】
前記イレース電流の理想値は、記録開始時におけるピーク電流に対するイレース電流の比を、記録開始後のピーク電流に掛けたものであることを特徴とする請求項２記載の光ディスク装置の発光電流調整方法。
【請求項４】
前記イレース電流の理想値は、記録開始前において設定された目標ピークパワーと目標イレースパワーとから、ピークパワーに対するイレースパワーの比を算出し、この比に記録開始後のピーク電流を掛けたものであることを特徴とする請求項２記載の光ディスク装置の発光電流調整方法。
【請求項５】
発光強度が最大であるピークレベルと、発光強度が最小であるボトムレベルと、これらの中間値であるイレースレベルとからなる発光強度パターンでレーザ光を光ディスクに照射して情報の記録再生を行う光ディスク装置において、発光強度波形をサンプリングして少なくともイレースレベルを検出するサンプルホールド回路と、記録開始後のイレース電流の測定値と理想値とから記録開始後のボトム電流の調整値を算出し、前記調整値に基づいてボトム電流、イレース電流、ピーク電流の設定値を算出するパワー制御部と、これらの設定値に基づいて発光電流を生成するレーザドライバとを有することを特徴とする光ディスク装置。
【請求項６】
前記レーザドライバは、ボトム電流生成用Ｄ／Ａコンバータと、イレース電流生成用Ｄ／Ａコンバータと、ピーク電流生成用Ｄ／Ａコンバータとを備え、記録開始後のイレース電流の測定値と理想値とから算出された記録開始後のボトム電流の調整値に基づいて定められるボトム電流、イレース電流、ピーク電流の設定値に基づいてそれぞれのＤ／Ａコンバータで発光電流が生成されることを特徴とする請求項５記載の光ディスク装置。
【発明の詳細な説明】
【技術分野】
【０００１】
本発明は光ピックアップにより光ディスクの情報を記録再生する光ディスク装置と、光ディスク装置において発光電流を調整する方法に関する。
【背景技術】
【０００２】
光ディスク装置は、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっている。
【０００３】
ここで、光ディスク装置の構成を図１を用いて説明する。
【０００４】
図１は光ディスク装置のピックアップ制御部のブロック図である。図１において、１は光ディスク、２はピックアップモジュール、３はスピンドルモータ、４は光ピックアップ、５はキャリッジ、６はフィード部、７はフィードモータ、８はアナログ信号処理部、９はサーボ処理部、１０はモータ駆動部、１１はディジタル信号処理部、１２はレーザ駆動部、１３はコントローラである。
【０００５】
以上のように構成された従来の技術におけるピックアップ制御部の動作について説明する。図１において、ピックアップモジュール２は、光ディスク１を回転させるスピンドルモータ３と、光ディスク１の情報信号を読み取るための光ピックアップ４と、光ピックアップ４が搭載されたキャリッジ５を光ディスク１の半径方向に移動させるためのフィード部６とによって構成されたものである。フィード部６はフィードモータ７，ギヤ（図示せず），スクリューシャフト（図示せず）等から構成され、フィードモータ７を回転させることによってキャリッジ５が光ディスク１の内周−外周間を移動するように構成されている。
【０００６】
アナログ信号処理部８はピックアップモジュール２の内部に設けられたキャリッジ５中の光ピックアップ４内部の光センサ（図示せず）からの信号出力を基に、フォーカスエラー信号とトラッキングエラー信号とを生成し、サーボ処理部９に出力する。
【０００７】
フォーカスエラー信号とは、光ピックアップ４に備えられた対物レンズ（図示せず）より出射される光ビームスポットと光ディスク１の記録面との焦点方向のずれを示す。トラッキングエラー信号とは、前記光スポットと光ディスク１の情報トラックの光ディスク半径方向のずれを示す。また、アナログ信号処理部８はトラッキングエラー信号の低域成分を取り出す事により、対物レンズとキャリッジ５との相対的な位置関係を示すレンズ位置信号を生成し、モータ駆動部１０に出力する。
【０００８】
サーボ処理部９はＯＮ／ＯＦＦ回路、演算回路、フィルタ回路、増幅回路等によって構成され、光ビームスポットが光ディスク１の情報トラックに追従するように対物レンズをフォーカス／トラッキング制御し、さらにトラッキングエラー信号の低域成分を用いて対物レンズが概略中立位置を保持するようにフィード制御を行う。
【０００９】
ディジタル信号処理部１１はデータスライサ、データＰＬＬ回路、ジッタ測定回路、エラー訂正部、変／復調部、バッファメモリ、レーザ制御部等から構成されており、ホスト（図中のＨＯＳＴ）側へ有効なデータとして転送される。
【００１０】
記録動作時は、ディジタル信号処理部１１によってホストから送られてきたデータを変調し、レーザ制御部によってレーザ駆動部１２を介して光ピックアップ４内のレーザ（図示せず）等の光源に所定の電流を供給し、光源を例えばパルス状に発光させ、光ディスク１の情報トラックに記録を行う。コントローラ１３はこのように構成されたサーボ部の全体のコントロールを行うものである。
【００１１】
光ディスク装置において記録パワーを制御する方法の一例が（特許文献１）に記載されている。
【特許文献１】特開２０００−３０２７６号公報
【発明の開示】
【発明が解決しようとする課題】
【００１２】
ＣＤ−ＲＷやＤＶＤ−ＲＷのように情報の記録と再生の両方を行うメディアの場合には、ピットを形成するために、図６の記録発光強度の波形を示す図に示すような記録発光波形が形成される。この記録発光波形は、光ビームを高いパワーと低いパワーとを繰り返すことによりメディア上で急加熱急冷却を繰り返し、ピットを形成する波形である。すなわち、記録された情報を消去するためのイレースレベルをはさんで、これより発光強度レベルの高いピークレベルと発光強度レベルの低いボトムレベルが形成される。
【００１３】
この記録発光波形を実現するためにレーザ光源に流される電流のパターンを図７に示す。ボトムレベルの発光強度を得るために流される電流がボトム電流（ｉＢＴ）であり、イレースレベルの発光強度を得るためには、ボトム電流（ｉＢＴ）にイレース電流（ｉＥＲ）が加算されたものが流される。また、ピークレベルの発光強度を得るためには、さらにピーク電流（ｉＰＫ）が加算されたものが流される。
【００１４】
これらの発光電流を生成するために用いられるＤ／Ａコンバータの構成を図８に示す。ボトム電流（ｉＢＴ）を生成するためのＤ／ＡコンバータがボトムＤＡＣであり、イレース電流（ｉＥＲ）を生成するためのＤ／ＡコンバータがイレースＤＡＣであり、ピーク電流（ｉＰＫ）を生成するためのＤ／ＡコンバータがピークＤＡＣである。これらのＤ／Ａコンバータによって生成された電流によって、ボトムレベルの発光強度とするときには、ボトム電流（ｉＢＴ）のみがレーザ光源に流され、イレースレベルの発光強度とするときには、ボトム電流（ｉＢＴ）とイレース電流（ｉＥＲ）とをあわせた電流がレーザ光源に流され、ピークレベルの発光強度とするときには、ボトム電流（ｉＢＴ）とイレース電流（ｉＥＲ）とピーク電流（ｉＰＫ）とをあわせた電流がレーザ光源に流される。
【００１５】
レーザ光源に流れる電流とレーザ光源の発光強度との関係は、温度によって変化する。記録開始時では低温であるため、発光に要する最低限の電流値である閾値が低く、かつ電流の増加量に対する発光強度の傾きが急峻であるのに対して、記録中では温度が上昇することにより、閾値が高く、かつ電流の増加量に対する発光強度の傾きが小さくなる。従って、所望の発光強度を得るためには、温度変化に伴う電流の調整が必要となる。
【００１６】
この電流の調整は、ボトムレベルの変動を直接検出することができないため、発光強度のイレースパワーを検出し、この結果に基づいてボトムレベルの変動の推定値を求め、これによってボトム電流（ｉＢＴ）を調整している。しかし、この方法によると、ボトムレベルの調整はあくまで発光強度のイレースパワーからの推定値によってなされているため、予期せぬ変動要因が生じたときに対応できず、正確性に欠ける。そのため、発光強度レベルを適正に維持することができず、ボトムレベルにばらつきが生じて、記録特性に悪影響を与え、情報記録が正確に行われないこととなる。
【００１７】
本発明は、上記の課題を解決するためになされたもので、レーザ光源の発光強度レベル
を正確に設定して、情報記録を正確に行うことが可能な光ディスク装置を提供することを目的とする。
【課題を解決するための手段】
【００１８】
本発明は、上記の課題を解決するためになされたもので、発光強度が最大であるピークレベルと、発光強度が最小であるボトムレベルと、これらの中間値であるイレースレベルとからなる発光強度パターンでレーザ光を光ディスクに照射して情報の記録再生を行う光ディスク装置の発光電流調整方法において、記録開始後のイレース電流の測定値と理想値とから記録開始後のボトム電流の調整値を定めることを特徴とする光ディスク装置の発光電流調整方法である。
【００１９】
記録に伴う温度上昇によって変動するイレース電流の測定値と理想値とから、記録開始後のボトム電流を求めているため、イレース電流の変動を直接ボトム電流に反映させることができ、ボトム電流の設定が正確であり、温度上昇に対して正確にボトム電流を追従させて所望の発光強度を得ることができる。また、予期せぬ変動要因が生じたときであっても、イレース電流の変動を直接ボトム電流に反映させているため、このような変動要因もイレース電流の測定によって拾うことができるため、変動要因の如何に関わりなくボトム電流のばらつきを抑えることができ、記録特性を良好な状態で維持することができる。
【発明の効果】
【００２０】
本発明によると、ボトム電流の設定を正確に行うことができ、温度上昇やその他の変動要因に関わりなく、ボトム電流のばらつきを抑えることができ、記録特性を良好な状態で維持することができる。
【発明を実施するための最良の形態】
【００２１】
本発明の請求項１の発明は、発光強度が最大であるピークレベルと、発光強度が最小であるボトムレベルと、これらの中間値であるイレースレベルとからなる発光強度パターンでレーザ光を光ディスクに照射して情報の記録再生を行う光ディスク装置の発光電流調整方法において、記録開始後のイレース電流の測定値と理想値とから記録開始後のボトム電流の調整値を定めることを特徴とする光ディスク装置の発光電流調整方法である。
【００２２】
記録に伴う温度上昇によって変動するイレース電流の測定値と理想値とから、記録開始後のボトム電流を求めているため、イレース電流の変動を直接ボトム電流に反映させることができ、ボトム電流の設定が正確であり、温度上昇に対して正確にボトム電流を追従させて所望の発光強度を得ることができる。また、予期せぬ変動要因が生じたときであっても、イレース電流の変動を直接ボトム電流に反映させているため、このような変動要因もイレース電流の測定によって拾うことができるため、変動要因の如何に関わりなくボトム電流のばらつきを抑えることができ、記録特性を良好な状態で維持することができる。
【００２３】
本発明の請求項２の発明は、請求項１の発明の光ディスク装置の発光電流調整方法において、記録開始時でのボトム電流に前記調整値を加えた値を記録開始後のボトム電流とし、前記イレース電流の理想値を記録開始後のイレース電流とすることを特徴とする。
【００２４】
記録開始後のボトム電流とイレース電流をこのように設定することにより、記録開始後において所望の発光強度を正確に得ることができる。
【００２５】
本発明の請求項３の発明は、請求項２の発明の光ディスク装置の発光電流調整方法において、前記イレース電流の理想値は、記録開始時におけるピーク電流に対するイレース電流の比を、記録開始後のピーク電流に掛けたものであることを特徴とする。
【００２６】
イレース電流の理想値をこのように設定することにより、ボトム電流の設定を正確に行うことができる。
【００２７】
本発明の請求項４の発明は、請求項２の発明の光ディスク装置の発光電流調整方法において、前記イレース電流の理想値は、記録開始前において設定された目標ピークパワーと目標イレースパワーとから、ピークパワーに対するイレースパワーの比を算出し、この比に記録開始後のピーク電流を掛けたものであることを特徴とする。
【００２８】
イレース電流の理想値をこのように設定することにより、ボトム電流の設定を正確に行うことができる。
【００２９】
本発明の請求項５の発明は、発光強度が最大であるピークレベルと、発光強度が最小であるボトムレベルと、これらの中間値であるイレースレベルとからなる発光強度パターンでレーザ光を光ディスクに照射して情報の記録再生を行う光ディスク装置において、発光強度波形をサンプリングして少なくともイレースレベルを検出するサンプルホールド回路と、記録開始後のイレース電流の測定値と理想値とから記録開始後のボトム電流の調整値を算出し、前記調整値に基づいてボトム電流、イレース電流、ピーク電流の設定値を算出するパワー制御部と、これらの設定値に基づいて発光電流を生成するレーザドライバとを有することを特徴とする光ディスク装置である。
【００３０】
この構成によって、イレース電流の変動を直接ボトム電流に反映させることができ、ボトム電流の設定が正確であり、温度上昇に対して正確にボトム電流を追従させて所望の発光強度を得ることができる。また、予期せぬ変動要因が生じたときであっても、イレース電流の変動を直接ボトム電流に反映させているため、このような変動要因もイレース電流の測定によって拾うことができるため、変動要因の如何に関わりなくボトム電流のばらつきを抑えることができ、記録特性を良好な状態で維持することが可能な光ディスク装置を実現することができる。
【００３１】
本発明の請求項６の発明は、請求項５の発明の光ディスク装置において、前記レーザドライバは、ボトム電流生成用Ｄ／Ａコンバータと、イレース電流生成用Ｄ／Ａコンバータと、ピーク電流生成用Ｄ／Ａコンバータとを備え、記録開始後のイレース電流の測定値と理想値とから算出された記録開始後のボトム電流の調整値に基づいて定められるボトム電流、イレース電流、ピーク電流の設定値に基づいてそれぞれのＤ／Ａコンバータで発光電流が生成されることを特徴とする。
【００３２】
このようにして発光電流を生成することにより、発光電流の変動要因の如何に関わりなく、安定した発光強度を得ることができ、記録特性を良好な状態で維持することが可能な光ディスク装置を実現することができる。
【００３３】
以下に、本発明の実施の形態に係る光ディスク装置の発光強度レベル調整方法及び光ディスク装置について詳細に説明する。
【００３４】
図１は光ディスク装置のピックアップ制御部のブロック図である。図１において、１は光ディスク、２はピックアップモジュール、３はスピンドルモータ、４は光ピックアップ、５はキャリッジ、６はフィード部、７はフィードモータ、８はアナログ信号処理部、９はサーボ処理部、１０はモータ駆動部、１１はディジタル信号処理部、１２はレーザ駆動部、１３はコントローラである。
【００３５】
以上のように構成されたピックアップ制御部の動作について説明する。図１において、ピックアップモジュール２は、光ディスク１を回転させるスピンドルモータ３と、光ディ
スク１の情報信号を読み取るための光ピックアップ４と、光ピックアップ４が搭載されたキャリッジ５を光ディスク１の半径方向に移動させるためのフィード部６とによって構成されたものである。フィード部６はフィードモータ７，ギヤ（図示せず），スクリューシャフト（図示せず）等から構成され、フィードモータ７を回転させることによってキャリッジ５が光ディスク１の内周−外周間を移動するように構成されている。
【００３６】
アナログ信号処理部８はピックアップモジュール２の内部に設けられたキャリッジ５中の光ピックアップ４内部の光センサ（図示せず）からの信号出力を基に、フォーカスエラー信号とトラッキングエラー信号とを生成し、サーボ処理部９に出力する。また、アナログ信号処理部８はトラッキングエラー信号の低域成分を取り出す事により、対物レンズとキャリッジ５との相対的な位置関係を示すレンズ位置信号を生成し、モータ駆動部１０に出力する。アナログ信号処理部８は、図４に示すサンプルホールド回路２１を含む。
【００３７】
サーボ処理部９はＯＮ／ＯＦＦ回路、演算回路、フィルタ回路、増幅回路等によって構成され、光ビームスポットが光ディスク１の情報トラックに追従するように対物レンズをフォーカス／トラッキング制御し、さらにトラッキングエラー信号の低域成分を用いて対物レンズが概略中立位置を保持するようにフィード制御を行う。
【００３８】
ディジタル信号処理部１１はデータスライサ、データＰＬＬ回路、ジッタ測定回路、エラー訂正部、変／復調部、バッファメモリ、レーザ制御部等から構成されており、ホスト（図中のＨＯＳＴ）側へ有効なデータが転送される。ディジタル信号処理部１１は図４に示すパワー制御部２２を含む。
【００３９】
記録動作時は、ディジタル信号処理部１１によってホストから送られてきたデータを変調し、レーザ制御部によってレーザ駆動部１２を介して光ピックアップ４内のレーザ（図示せず）等の光源に所定の電流を供給し、光源を例えばパルス状に発光させ、光ディスク１の情報トラックに記録を行う。レーザ駆動部１２は図４に示すレーザドライバ２３を含む。コントローラ１３はこのように構成されたサーボ部の全体のコントロールを行うものである。
【００４０】
図２、図３を用いて、発光電流の調整方法について説明する。図２に発光強度レベルと発光電流との関係を示す。また、図３にボトム電流を制御するための流れ図を示す。
【００４１】
図２において、横軸はレーザ光源に流される電流であり、縦軸はレーザ光源の発光強度である。実線は記録開始時における電流と発光強度との関係を示し、破線は記録により温度が上昇したときの電流と発光強度との関係を示す。記録開始時では低温であるため、発光に要する最低限の電流値である閾値が低く、かつ電流の増加量に対する発光強度の傾きが急峻であるのに対して、記録中では温度が上昇することにより、閾値が高く、かつ電流の増加量に対する発光強度の傾きが小さくなる。
【００４２】
記録開始時において、ボトムレベルの発光強度を得るために流される電流がボトム電流（ｉＢＴ）であり、イレースレベルの発光強度を得るためには、ボトム電流（ｉＢＴ）にイレース電流（ｉＥＲ）が加算されたものが流される。また、ピークレベルの発光強度を得るためには、これにさらにピーク電流（ｉＰＫ）が加算されたものが流される。
【００４３】
記録により温度が上昇した状態においては、それぞれの発光レベルにおいて記録開始時よりも大きな電流が必要となり、ボトムレベルの発光強度を得るために流されるボトム電流はｉＢＴとｉＢＴ１１との和であり、イレースレベルの発光強度を得るためには、このボトム電流にイレース電流ｉＥＲ１１が加算されたものが必要となる。また、ピークレベルの発光強度を得るためには、これにさらにピーク電流ｉＰＫ１が加算されたものが流さ
れる。従って、ｉＢＴ１１、ｉＥＲ１１をいかにして正確に求めるかが問題となる。
【００４４】
温度上昇に伴う加算電流ｉＢＴ１１、ｉＥＲ１１の設定について、図３を用いて説明する。
【００４５】
記録開始時におけるイレース電流とピーク電流の比を、Ｋ＝ｉＥＲ／ｉＰＫとして定義する（Ｓ１）。この定数Ｋは温度が変化しても不変な量として定義されるものである。
【００４６】
このＫを用いて、ｉＥＲ１１＝Ｋ×ｉＰＫ１として、温度上昇によって増加するピーク電流ｉＰＫ１に対応して増加すべきイレース電流の理想値であるｉＥＲ１１を定める（Ｓ２）。なお、イレース電流の理想値は、記録開始前において設定された目標ピークパワーと目標イレースパワーとから、ピークパワーに対するイレースパワーの比を算出し、この比に記録開始後のピーク電流を掛けることによって決定しても良い。
【００４７】
次に、温度上昇後における発光強度がイレースレベルであるときの電流から、記録開始時における発光強度がボトムレベルであるときの電流ｉＢＴを引いたものをｉＥＲ１とする。このｉＥＲ１を測定して、ｉＥＲ１からイレース電流の理想値ｉＥＲ１１を引き、この電流をｉＢＴ１１と定める（Ｓ３）。このｉＢＴ１１がボトム電流についての調整値であり、ｉＢＴ１１について以下の大小比較を行う。
【００４８】
この大小比較は、ｉＢＴ１１がボトム電流生成用のＤ／ＡコンバータであるボトムＤＡＣのＬＳＢ（Ｌｅａｓｔ  Ｓｉｇｎｉｆｉｃａｎｔ  Ｂｉｔ）分の電流値Ｓより大きいか否かについて行い（Ｓ４）、ｉＢＴ１１＞Ｓの場合にはボトムＤＡＣの値を＋１としてボトム電流を増加させる（Ｓ５）。すなわち、ＬＳＢは２進法で表現したときの最下位ビットであり、ボトム電流についての調整値として設定されたｉＢＴ１１が、この最下位ビットを超えるときには、ボトムＤＡＣの値を変更してボトム電流を増加させることとしている。
【００４９】
ｉＢＴ１１＞Ｓでない場合には、ｉＢＴ１１がボトムＤＡＣのＬＳＢ分の電流値ＴについてｉＢＴ１１＜−Ｔであるか否かの判定を行い（Ｓ６）、ｉＢＴ１１＜−Ｔである場合にはボトムＤＡＣの値を−１としてボトム電流を減少させる（Ｓ７）。このように、通常はｉＢＴ１１の大小比較はボトムＤＡＣのＬＳＢ分電流値との比較により行うが、ボトムＤＡＣのＬＳＢ分電流値を整数倍した電流値と比較してボトム電流を増減させてもよい。
【００５０】
Ｓ４、Ｓ６のいずれの判定においてもその条件を満たさない場合には、ボトムＤＡＣの値をそのままに維持してボトム電流を変化させない。
【００５１】
このようにして定められたｉＢＴ１１を、図２に示すようにｉＢＴに加算したものをｉＢＴ２とし、温度上昇に伴うボトムパワー変更後のボトム電流とする。また、ｉＥＲ１１を温度上昇後のイレース電流ｉＥＲ２とする。ピーク電流についてはｉＰＫ１をそのまま温度上昇後のピーク電流とする。
【００５２】
図４に、上述した発光電流の調整方法を実現するためのブロック図を示す。光ディスク１に照射されるレーザ光を出射するレーザユニット２０の発光強度パターンの波形情報はサンプルホールド回路（ＳＨ回路）２１に送られ、サンプルホールド回路（ＳＨ回路）２１によってイレースパワーと平均パワーとが検出されてパワー制御部２２に入力される。また、パワー制御部２２はサンプルホールド（ＳＨ）タイミング信号をサンプルホールド回路（ＳＨ回路）２１に送出して、サンプルホールド回路（ＳＨ回路）２１のサンプリングのタイミングを設定する。
【００５３】
パワー制御部２２は、入力されたイレースパワーと平均パワーに基づいて、図３に示した処理を行い、記録による温度上昇に伴って変動するピーク電流、イレース電流、ボトム電流の設定値を定め、レーザドライバ２３にそれぞれの設定値が送出される。
【００５４】
図５にレーザドライバ２３の構成を示す。レーザドライバ２３は、ボトム電流（ｉＢＴ）を生成するためのＤ／Ａコンバータ２４、イレース電流（ｉＥＲ）を生成するためのＤ／Ａコンバータ２５、ピーク電流（ｉＰＫ）を生成するためのＤ／Ａコンバータ２６からなる。これらのＤ／Ａコンバータ２４、２５、２６のそれぞれに、ボトム電流設定値、イレース電流設定値、ピーク電流設定値が送出されてＤ／Ａ変換され、ボトム電流（ｉＢＴ）、イレース電流（ｉＥＲ）、ピーク電流（ｉＰＫ）が生成される。
【００５５】
ボトムレベルの発光強度とするときには、ボトム電流（ｉＢＴ）のみがレーザユニット２０に流される。イレースレベルの発光強度とするときには、ボトム電流（ｉＢＴ）とイレース電流（ｉＥＲ）とをあわせた電流がレーザユニット２０に流される。ピークレベルの発光強度とするときには、ボトム電流（ｉＢＴ）とイレース電流（ｉＥＲ）とピーク電流（ｉＰＫ）とをあわせた電流がレーザユニット２０に流される。
【００５６】
ここでは、記録に伴う温度上昇によって変動するイレース電流の測定値と理想値とから、変動後のボトム電流を求めているため、イレース電流の変動を直接ボトム電流に反映させることができ、ボトム電流の設定が正確であり、温度上昇に正確に追従させて所望の発光強度を得ることができる。また、予期せぬ変動要因が生じたときであっても、イレース電流の変動を直接ボトム電流に反映させているため、このような変動要因もイレース電流の測定によって拾うことができるため、変動要因の如何に関わりなくボトム電流のばらつきを抑えることができ、記録特性を良好な状態で維持することができる。
【産業上の利用可能性】
【００５７】
本発明は、記録による温度上昇やその他の変動要因に関わりなく、ボトム電流のばらつきを抑えることができ、記録特性を良好な状態で維持することが可能な光ディスク装置として利用できる。
【図面の簡単な説明】
【００５８】
【図１】光ディスク装置のピックアップ制御部のブロック図
【図２】発光強度レベルと発光電流との関係を示す図
【図３】ボトム電流を制御するための流れ図
【図４】発光電流の調整方法を実現するためのブロック図
【図５】レーザドライバの構成を示す図
【図６】記録発光強度の波形を示す図
【図７】レーザ光源に流される電流のパターンを示す図
【図８】発光電流を生成するために用いられるＤ／Ａコンバータの構成を示す図
【符号の説明】
【００５９】
１    光ディスク
２    ピックアップモジュール
３    スピンドルモータ
４    光ピックアップ
５    キャリッジ
６    フィード部
７    フィードモータ
８    アナログ信号処理部
９    サーボ処理部
１０    モータ駆動部
１１    ディジタル信号処理部
１２    レーザ駆動部
１３    コントローラ
２０    レーザユニット
２１    サンプルホールド回路（ＳＨ回路）
２２    パワー制御部
２３    レーザドライバ
２４、２５、２６    Ｄ／Ａコンバータ
【図１】
2005202995.tif 000003
【図２】
2005202995.tif 000004
【図３】
2005202995.tif 000005
【図４】
2005202995.tif 000006
【図５】
2005202995.tif 000007
【図６】
2005202995.tif 000008
【図７】
2005202995.tif 000009
【図８】
2005202995.tif 000010